(57)【要約】【課題】受信信号に信号成分が長時間継続して含まれる信号を受信する場合にも、受信信号の雑音電力を測定できるようになる。【解決手段】本発明による雑音電力測定装置は、入力された信号から受信信号スペクトラムを生成する受信信号スペクトラム変換手段と、前記受信信号スペクトラム変換手段が生成した前記受信信号スペクトラムからパワースペクトラムを生成するパワースペクトラム生成手段と、前記パワースペクトラム生成手段が生成した前記パワースペクトラムを用いて、デシベル換算した電力値に対する度数分布を生成し、前記最大度数の電力値を前記入力された信号における雑音電力と決定する決定手段と、を備える。【選択図】図１
2014090305.tif 000002
【特許請求の範囲】
【請求項１】
入力された信号から受信信号スペクトラムを生成する受信信号スペクトラム変換手段と、
前記受信信号スペクトラム変換手段が生成した前記受信信号スペクトラムからパワースペクトラムを生成するパワースペクトラム生成手段と、
前記パワースペクトラム生成手段が生成した前記パワースペクトラムを用いて、デシベル換算した電力値に対する度数分布を生成し、該生成した度数分布に基づいて、最大度数の電力値を前記入力された信号における雑音電力と決定する決定手段と、を備えることを特徴とする雑音電力測定装置。
【請求項２】
請求項１に記載の雑音電力測定装置において、
前記決定手段は、
前記パワースペクトラム生成手段が生成した前記パワースペクトラムを、デシベル変換し、デシベル単位のパワースペクトラムを生成するデシベル変換手段と、
前記デシベル変換手段が生成したデシベル単位のパワースペクトラムを用いて、等差間隔の刻み幅で電力値に対する度数分布を生成する度数分布生成手段と、
前記度数分布における最大度数の電力値を前記入力された信号における雑音電力と決定する検出手段と、を備えることを特徴とする雑音電力測定装置。
【請求項３】
請求項１に記載の雑音電力測定装置において、
前記決定手段は、
前記パワースペクトラム生成手段が生成した前記パワースペクトラムを用いて、等比間隔の刻み幅で電力値に対する度数分布を作成する度数分布作成手段と、
前記度数分布における最大度数の電力値を前記入力された信号における雑音電力と決定する決定手段と、を備えることを特徴とする雑音電力測定装置。
【請求項４】
請求項２または３に記載の雑音電力測定装置において、
前記度数分布生成手段は、１または複数の前記パワースペクトラムを用いて前記度数分布を作成することを特徴とする雑音電力測定装置。
【請求項５】
請求項２または３に記載の雑音電力測定装置において、
前記刻み幅は、変更可能であることを特徴とする雑音電力測定装置。
【請求項６】
請求項１から５のいずれか１項に記載の雑音電力測定装置において、
受信信号スペクトラム変換手段の前段に設けられ、前記入力された信号をアナログ／ディジタル変換するアナログ／ディジタル変換手段をさらに備えることを特徴とする雑音電力測定装置。
【請求項７】
入力された信号の雑音電力を測定する雑音電力測定装置における雑音電力測定方法であって、
前記入力された信号から受信信号スペクトラムを生成する受信信号スペクトラム変換ステップと、
前記受信信号スペクトラム変換ステップが生成した前記受信信号スペクトラムからパワースペクトラムを生成するパワースペクトラム生成ステップと、
前記パワースペクトラム生成ステップが生成した前記パワースペクトラムを用いて、デシベル換算した電力値に対する度数分布を生成し、該生成した度数分布に基づいて、最大度数の電力値を前記入力された信号における雑音電力と決定する決定ステップと、を備えることを特徴とする雑音電力測定方法。
【発明の詳細な説明】
【技術分野】
【０００１】
本発明は、雑音電力を測定する雑音電力測定装置および雑音電力測定方法に関する。
【背景技術】
【０００２】
無線信号などを受信する受信機の受信信号には、信号成分と雑音成分とが含まれている。このような受信信号から信号成分のみを抽出するためには、雑音成分の電力である雑音電力を正確に測定する必要がある。
【０００３】
特許文献１（特開２０１０−１９３３７１号公報）には、予め、信号を全く受信しない状態（無入力状態）で雑音電力を測定することなく、受信信号の雑音電力を測定する技術が開示されている。例えば、プレストーク通信のように、雑音成分のみが含まれる状態と、雑音成分と信号成分とが含まれる状態と、が存在する場合において、雑音成分が含まれる状態における振幅包絡値の度数分布の特性（レイリー分布）と、雑音成分と信号成分とが含まれる状態における振幅包絡値の度数分布の特性（仲上−ライス分布）とが、それぞれ異なる極大点を示す性質を利用し、受信信号の雑音電力を測定する。
【先行技術文献】
【特許文献】
【０００４】
【特許文献１】特開２０１０−１９３３７１号公報
【発明の概要】
【発明が解決しようとする課題】
【０００５】
特許文献１に開示の技術では、例えば、プレストーク通信のように、雑音成分のみが含まれる状態と、雑音成分と信号成分が含まれる状態と、が存在する場合において、受信信号の雑音電力を測定することができる。しかしながら、例えば、放送波のように、信号成分が長時間継続して含まれる信号を受信する場合には、雑音成分のみが含まれる状態がなく、雑音成分と信号成分が含まれる状態のみになるため、振幅包絡値の度数分布においても、雑音成分と信号成分が含まれる状態における分布特性（仲上−ライス分布）のみを示すことになる。したがって、信号成分が長時間継続して含まれる信号を受信する場合には、特許文献１に開示の技術を用いることができない。
【０００６】
本発明の目的は、受信信号に信号成分が長時間継続して含まれる信号を受信する場合にも、受信信号の雑音電力を測定することができる、雑音電力測定装置および雑音電力測定方法を提供することにある。
【課題を解決するための手段】
【０００７】
上記目的を達成するために本発明の雑音電力測定装置は、
入力された信号から受信信号スペクトラムを生成する受信信号スペクトラム変換手段と、
前記受信信号スペクトラム変換手段が生成した前記受信信号スペクトラムからパワースペクトラムを生成するパワースペクトラム生成手段と、
前記パワースペクトラム生成手段が生成した前記パワースペクトラムを用いて、デシベル換算した電力値に対する度数分布を生成し、該生成した度数分布に基づいて、最大度数の電力値を前記入力された信号における雑音電力と決定する決定手段と、を備える。
【０００８】
上記目的を達成するために本発明の入力された信号の雑音電力を測定する雑音電力測定装置における雑音電力測定方法は、
入力された信号から受信信号スペクトラムを生成する受信信号スペクトラム変換ステップと、
前記受信信号スペクトラム変換ステップが生成した前記受信信号スペクトラムからパワースペクトラムを生成するパワースペクトラム生成ステップと、
前記パワースペクトラム生成ステップが生成した前記パワースペクトラムを用いて、デシベル換算した電力値に対する度数分布を生成し、該生成した度数分布に基づいて、最大度数の電力値を前記入力された信号における雑音電力と決定する決定ステップと、を備える。
【発明の効果】
【０００９】
本発明によれば、受信信号に信号成分が長時間継続して含まれる信号を受信する場合にも、受信信号の雑音電力を測定することができる。
【図面の簡単な説明】
【００１０】
【図１】本発明の第１の実施形態の雑音電力測定装置の構成を示すブロック図である。
【図２】図１に示す雑音電力測定装置において、パワースペクトラムから求められる、デシベル単位の電力値に対する度数分布を示した図である。
【図３】図１に示す雑音電力測定装置の動作を示すフローチャートである。
【図４】本発明の第２の実施形態の雑音電力測定装置の構成を示すブロック図である。
【図５】図４に示す区間刻み幅算出部２２による、デシベル単位の区間刻み幅と真値の区間刻み幅との変換例を示す図である。
【図６】図５に示す雑音電力測定装置の動作を示すフローチャートである。
【発明を実施するための形態】
【００１１】
以下に、本発明を実施するための形態について図面を参照して説明する。
【００１２】
（第１の実施形態）
図１は、本発明の第１の実施形態の雑音電力測定装置の構成を示すブロック図である。本発明に係る雑音電力測定装置は、空中線１を有し、空中線１を介して無線信号を受信する受信機２に接続され、受信機２の受信信号に含まれる雑音電力を測定するものである。
【００１３】
図１を参照すると、雑音電力測定装置１０は、受信信号スペクトラム変換部１１と、パワースペクトラム生成部１２と、決定部１３とを有する。決定部１３は、デシベル変換部１４と、度数分布生成部１５と、最大度数検出部１６とを有する。
【００１４】
受信信号スペクトラム変換部１１は、受信機２から入力された受信信号ｒ（ｔ）に対して、式（1）に示すフーリエ変換処理を行って、受信信号スペクトラムＲ（ｆ）を生成し、パワースペクトラム生成部１２に出力する。
【００１５】
【数１】
2014090305.tif 000003
【００１６】
パワースペクトラム生成部１２は、受信信号スペクトラム変換部１１から入力された受信信号スペクトラムＲ（ｆ）に対して、式（２）に示す処理を行って、パワースペクトラムＷ（ｆ）を生成し、決定部１３に出力する。
【００１７】
【数２】
2014090305.tif 000004
【００１８】
決定部１３は、パワースペクトラム生成部１２が生成したパワースペクトラムＷ（ｆ）をデシベル変換し、その電力値に対する度数分布における最大度数を検出し、その最大度数となる電力を、雑音電力として決定する。
【００１９】
デシベル変換部１４は、パワースペクトラム生成部１２から入力されたパワースペクトラムＷ（ｆ）に対して式（３）に示す処理を行って、デシベル（ｄＢ）単位のパワースペクトラムＸ（ｆ）を生成し、度数分布生成部１５に出力する。
【００２０】
【数３】
2014090305.tif 000005
【００２１】
度数分布生成部１５は、デシベル変換部１４から入力されたパワースペクトラムＸ（ｆ）を用い、電力値に対する度数分布ｆ（ｐ＿ｄＢ）を求め、最大度数検出部１６に出力する。（以下では、ｄＢ単位のパラメータは、パラメータの後ろに“＿ｄＢ”を付す）。
【００２２】
度数分布の区間刻み幅は、ｄＢ単位で所望する度数分布における測定分解能に合わせて決定することができる。例えば、０．１ｄＢ単位で度数分布を生成する場合、区間刻み幅を０．１ｄＢとする。
【００２３】
なお、度数分布を求める方法としては、パワースペクトラムＸ（ｆ）から求める方法のほか、パワースペクトラムＸ（ｆ）を時系列に並べたパワースペクトログラムＸ（ｆ，ｔ）から求める方法もある。しかし、パワースペクトログラムＸ（ｆ，ｔ）から求める度数分布は、データ数が増えたパワースペクトラムから求める度数分布と同じである。そのため、以降はパワースペクトラムＸ（ｆ）から求める方法のみについて説明する。
【００２４】
最大度数検出部１６は、度数分布生成部１５から入力された度数分布ｆ（ｐ＿ｄＢ）における最大度数を検出し、最大度数となる電力Ｐｍａｘ＿ｄＢを、雑音電力の測定値として出力する。
【００２５】
次に、最大度数となる電力Ｐｍａｘ＿ｄＢを、雑音電力の測定値とすることができる理由を説明する。
【００２６】
一般に、雑音成分は、電圧がガウス分布を示すガウス雑音であると想定することができ、さらに、複素ガウス雑音の包絡線分布はレイリー分布を示すことが知られている。
【００２７】
受信信号ｒ（ｔ）は、信号成分ｓ（ｔ）と雑音成分ｎ（ｔ）の合成であり、ｒ（ｔ）＝ｓ（ｔ）＋ｎ（ｔ）と表すことができる。フーリエ変換の線形性から、受信信号ｒ（ｔ）のフーリエ変換結果（スペクトラム）はＲ（ｆ）＝Ｓ（ｆ）＋Ｎ（ｆ）と表すことができる。
【００２８】
ガウス分布に対するフーリエ変換結果もまたガウス分布であるので、ｎ（ｔ）がガウス分布ならばＮ（ｆ）もガウス分布である。ここでＳ（ｆ’）＝０（ｆ＝ｆ’では信号成分がない）とすると、スペクトラムＲ（ｆ’）はＲ（ｆ’）＝Ｎ（ｆ’）であり、Ｒ（ｆ’）の包絡線分布はレイリー分布となる。
【００２９】
一般に、無線通信において、受信信号を時間と周波数に分解する（スペクトログラム）と、信号成分よりも雑音成分が支配的である。したがって、スペクトラムＲ（ｆ）に対する包絡線分布では、信号成分Ｓ（ｆ）を無視することができる。この場合、スペクトラムＲ（ｆ）の包絡線分布はＲ（ｆ’）と同じレイリー分布となる。
【００３０】
次に、包絡線分布がレイリー分布の信号に対してｄＢ単位の電力分布ｆ（ｐ＿ｄＢ）を求める。
【００３１】
複素ガウス雑音の包絡線分布ｑ（ρ）は、雑音電力σ2、包絡線ρを用いて、以下のように表すことができる。
【００３２】
【数４】
2014090305.tif 000006
【００３３】
【数５】
2014090305.tif 000007
【００３４】
ここで、電力ｓを用いて式（６）の変数変換を行う。
【００３５】
【数６】
2014090305.tif 000008
【００３６】
【数７】
2014090305.tif 000009
【００３７】
式（７）が成立するため、真値での電力分布ｒ（ｓ）は、式（８）となる。
【００３８】
【数８】
2014090305.tif 000010
【００３９】
さらに、式（９）に示される電力ｐ＿ｄＢを用いて変数変換を行う。
【００４０】
【数９】
2014090305.tif 000011
【００４１】
【数１０】
2014090305.tif 000012
【００４２】
式（１０）が成立するため、ｄＢ単位での電力分布ｆ（ｐ＿ｄＢ）は、式（１１）と表される。
【００４３】
【数１１】
2014090305.tif 000013
【００４４】
【数１２】
2014090305.tif 000014
【００４５】
式（１２）が成立するため、式（１１）は式（１３）と表される。
【００４６】
【数１３】
2014090305.tif 000015
【００４７】
【数１４】
2014090305.tif 000016
【００４８】
式（１４）で表されるｕについては、式（１５）の関係が成立する。
【００４９】
【数１５】
2014090305.tif 000017
【００５０】
したがって、ｆ（ｐ＿ｄＢ）を微分した結果は、式（１６）となる。
【００５１】
【数１６】
2014090305.tif 000018
【００５２】
【数１７】
2014090305.tif 000019
【００５３】
式（１６）において、式（１７）を満たすため、ｆ（ｐ＿ｄＢ）の微分が０となるためには、式（１８）の条件を満たす必要がある。
【００５４】
【数１８】
2014090305.tif 000020
【００５５】
式（１８）を満たすＰｍａｘ＿ｄＢは、式（１９）のように表すことができる。
【００５６】
【数１９】
2014090305.tif 000021
【００５７】
【数２０】
2014090305.tif 000022
【００５８】
そのため、式（２０）に表されるＰｍａｘ＿ｄＢにおいて、ｄＢ単位の電力分布は極大となり、ｄＢ単位の雑音電力は、
【００５９】
【数２１】
2014090305.tif 000023
【００６０】
に一致する。
【００６１】
したがって、度数分布ｆ（ｐ＿ｄＢ）における最大度数となる電力Ｐｍａｘ＿ｄＢを、雑音電力の測定値とすることができる。
【００６２】
図２は、式（１６）すなわちｄＢ単位での電力分布ｆ（ｐ＿ｄＢ）のグラフである。図２においては、σ＝１、すなわち雑音電力は、０ｄＢである。図２に示すグラフからも、極大値を示す電力が０ｄＢであり、雑音電力と一致していることが分かる。
【００６３】
空中線１や受信機２の動作は当業者にとってよく知られており、また本発明とは直接関係しないので、その詳細な説明は省略する。
【００６４】
次に、本実施形態の雑音電力測定装置１０の動作を、図３に示すフローチャートを参照して説明する。
【００６５】
受信信号スペクトラム変換部１１は、受信機２から受信信号ｒ（ｔ）を受け取ると、式（１）に示すフーリエ変換を行って受信信号スペクトラムＲ（ｆ）を生成し、パワースペクトラム生成部１２に出力する（ステップＳ１）。
【００６６】
パワースペクトラム生成部１２は、受信信号スペクトラム変換部１１より受信信号スペクトラムＲ（ｆ）を受け取ると、式（２）に示す処理を行ってパワースペクトラムＷ（ｆ）を生成し、デシベル変換部１４に出力する（ステップＳ２）。
【００６７】
デシベル変換部１４は、パワースペクトラム生成部１２よりパワースペクトラムＷ（ｆ）を受け取ると、式（３）に示す処理を行って、ｄＢ単位のパワースペクトラムＸ（ｆ）を生成し、パワースペクトラムＸ（ｆ）を度数分布生成部１５に出力する（ステップＳ３）。
【００６８】
度数分布生成部１５は、パワースペクトラムＸ（ｆ）を、所定の回数（Ｎ）以上、受け取ったか否かを判定する（ステップＳ４）。
【００６９】
なお、所定の回数（Ｎ）は１以上であればよい。また、例えば、Ｎ＝１ならばパワースペクトラム、Ｎ＞１ならばパワースペクトログラムを示すことになる。Ｎが大きいほど、測定値の精度は高く、測定時間は長くなり、Ｎが小さいほど、測定値の精度は低く、測定時間は短くなる。そのため、測定値の精度と測定時間のトレードオフを考慮し、測定回数（Ｎ）を変更することができる。
【００７０】
パワースペクトラムＸ（ｆ）をＮ回以上受け取っていない場合（ステップＳ４：Ｎｏ）、度数分布生成部１５は、ステップＳ１の処理に戻る。
【００７１】
パワースペクトラムＸ（ｆ）をＮ回以上受け取った場合（ステップＳ４：Ｙｅｓ）、度数分布生成部１５は、Ｎ個のパワースペクトラムＸ（ｆ）を用いて、電力値に対する度数分布ｆ（ｐ＿ｄＢ）を生成し、最大度数検出部１６に出力する（ステップＳ５）。
【００７２】
ステップＳ５において、測定分解能（最小の測定値）をＭ、区間刻み幅をＤとすると、度数分布の１区間目（Ｘ（ｆ＿１））が「Ｍ−Ｄ／２〜Ｍ＋Ｄ／２（ただしＭ＋Ｄ／２は含まない）」、２区間目（Ｘ（ｆ＿２））が「Ｍ＋Ｄ／２〜Ｍ＋３Ｄ／２（ただしＭ＋３Ｄ／２は含まない）」となる。そして、度数分布生成部１５は、全区間ｆ（＝ｆ＿１，ｆ＿２，ｆ＿３，…）における度数を用い、度数分布を生成する。例えば、−１５０ｄＢの測定分解能（Ｍ＝−１５０）で測定する場合において、区間刻み幅を０．１ｄＢ（Ｄ＝０．１）とすれば、１区間目（Ｘ（ｆ＿１））は「−１５０．０５ｄＢ〜−１４９．９５ｄＢ（−１４９．９５ｄＢは含まない）」、２区間目（Ｘ（ｆ＿２））は「−１４９．９５ｄＢ〜−１４９．８５ｄＢ（−１４９．８５ｄＢは含まない）」となる。
【００７３】
また、ステップＳ５において、区間刻み幅（Ｄ）が小さいほど、度数分布における分解能は高く、測定時間は長くなる。また、区間刻み幅（Ｄ）が大きいほど、度数分布における分解能は低く、測定時間は短くなる。そのため、度数分布における分解能と測定時間のトレードオフを考慮し、区間刻み幅（Ｄ）を変更することができる。
【００７４】
最大度数検出部１６は、入力された度数分布ｆ（ｐ＿ｄＢ）における最大度数を検出し、その最大度数に対応する電力値を雑音電力として出力する（ステップＳ６）。
【００７５】
このように、本実施形態によれば、雑音電力測定装置１０は、ｄＢ単位の電力値の度数分布における最大度数の電力値が雑音電力に等しくなる性質を利用して、ｄＢ単位のパワースペクトラムの電力値に対する度数分布ｆ（ｐ＿ｄＢ）における最大度数を、雑音電力Ｐｍａｘ＿ｄＢとして出力する。
【００７６】
そのため、雑音電力測定装置１０は、受信信号に信号成分が長時間継続して含まれる信号を受信する場合にも、受信信号の雑音電力を測定することができる。
【００７７】
また、特許文献１に開示された技術においては、真値の刻み幅で作成した振幅包絡値の度数分布における極大値を検出し、雑音電力を測定しているが、本実施形態においては、デシベル値の刻み幅で作成した電力値の度数分布における極大値を検出し、雑音電力を測定している。デシベル値の刻み幅で作成した度数分布は、真値の刻み幅で作成した度数分布に比べて、度数分布がより少ないデータ数で構成されていたとしても、理論曲線に近い性質を示す。そのため、雑音電力測定装置１０は、特許文献１に示された技術に比べて、より少ないデータ数で、受信信号の雑音電力を測定することができる。
【００７８】
なお、本実施形態において、無線信号を受信する受信機２の受信信号における雑音電力測定を想定して記載したが、本発明はこれに限られるものではなく、有線信号における雑音電力測定にも適用することができる。有線信号における雑音電力測定に適用する場合には、有線信号を入力するケーブルを受信信号スペクトラム変換部１１に接続することにより、受信信号スペクトラム変換部１１への入力とすればよい。
【００７９】
また、受信信号スペクトラム変換部１１の前段にアナログ／ディジタル変換部を追加することで、受信信号スペクトラム変換部の処理にディジタル信号処理を用いることが可能となる。このため、汎用コンピュータを用いてソフトウェアで安価に実現でき、実用的である。
【００８０】
（第２の実施形態）
図４は、本発明の第２の実施形態の雑音電力測定装置の構成を示すブロック図である。なお、図４において、図１と同様の構成については同じ符号を付し、説明を省略する。
【００８１】
本実施形態の雑音電力測定装置２０は、第１の実施形態の雑音測定装置１０と比較して、決定部２１が決定部１３から変更されている点が異なる。決定部２１は決定部１３と比較して、デシベル変換部１４が削除されている点と、区間刻み幅算出部２２が追加されている点と、が異なる。
【００８２】
区間刻み幅算出部２２は、ｄＢ単位の区間刻み幅を真値の区間刻み幅に変換し、度数分布生成部２３に通知する。
【００８３】
図５は、区間刻み幅算出部２２で求められる区間刻み幅の例である。１区間目が「１．０×１０-5〜１．８×１０-5（−１００〜−９５ｄＢに相当）」、２区間目が「１．８×１０-5〜３．２×１０-5（−９５〜−９０ｄＢに相当）」、３区間目が「３．２×１０-5〜５．６×１０-5（−９０〜−８５ｄＢに相当）」となる。以降、同様の処理を行うことにより、等比間隔の区間刻み幅が求められる。
【００８４】
決定部２１において、度数分布生成部２３は、パワースペクトラム生成部１２から入力されたパワースペクトラムＷ（ｆ）に対して、区間刻み幅算出部２２から通知された等比間隔の区間刻み幅で、度数分布ｆ（ｐ）を生成し、度数分布ｆ（ｐ）を最大度数検出部１６に出力する。
【００８５】
最大度数検出部１６は、度数分布生成部２３から入力された度数分布ｆ（ｐ）における最大度数を検出し、最大度数となる電力Ｐｍａｘを、雑音電力の測定値として出力する。
【００８６】
次に、本実施形態の雑音電力測定装置２０の動作を図６に示すフローチャートを参照して説明する、なお、図６において、図３と同様の処理については同じ符号を付し、説明を省略する。また、以下では、区間刻み幅算出部２２は、ｄＢ単位の区間刻み幅を真値の区間刻み幅に変換し、度数分布生成部２３に通知するものとする。
【００８７】
度数分布生成部２３は、パワースペクトラム変換部１２からの出力のパワースペクトラムＷ（ｆ）を、所定の回数（Ｎ）以上、受け取ったか否かを判定する（ステップＳ１１）。
【００８８】
パワースペクトラムＷ（ｆ）をＮ回以上受け取っていない場合（ステップＳ１１：Ｎｏ）、度数分布生成部２３は、ステップＳ１の処理に戻る。
【００８９】
パワースペクトラムＷ（ｆ）をＮ回以上受け取った場合（ステップＳ１１：Ｙｅｓ）、度数分布生成部２３は、Ｎ個のパワースペクトラムＷ（ｆ）を用いて、電力値に対する度数分布ｆ（ｐ）を生成し、最大度数検出部１６に出力する（ステップＳ１２）。
【００９０】
度数分布を求める場合には、区間刻み幅を等差間隔とするのが一般的であるが、本実施形態のように区間刻み幅をｄＢ単位に合わせて等比間隔にすることによっても、第１の実施形態と同様の効果を得ることができる。
【００９１】
上記の実施形態の一部または全部は、以下の付記のようにも記載されうるが、以下には限られない。
【００９２】
（付記１）
入力された信号から受信信号スペクトラムを生成する受信信号スペクトラム変換手段と、
前記受信信号スペクトラム変換手段が生成した前記受信信号スペクトラムからパワースペクトラムを生成するパワースペクトラム生成手段と、
前記パワースペクトラム生成手段が生成した前記パワースペクトラムを用いて、デシベル換算した電力値に対する度数分布を生成し、該生成した度数分布に基づいて、最大度数の電力値を前記入力された信号における雑音電力と決定する決定手段と、を備えることを特徴とする雑音電力測定装置。
【００９３】
（付記２）
付記１に記載の雑音電力測定装置において、
前記決定手段は、
前記パワースペクトラム生成手段が生成した前記パワースペクトラムを、デシベル変換し、デシベル単位のパワースペクトラムを生成するデシベル変換手段と、
前記デシベル変換手段が生成したデシベル単位のパワースペクトラムを用いて、等差間隔の刻み幅で電力値に対する度数分布を生成する度数分布生成手段と、
前記度数分布における最大度数の電力値を前記入力された信号における雑音電力と決定する検出手段と、を備えることを特徴とする雑音電力測定装置。
【００９４】
（付記３）
付記１に記載の雑音電力測定装置において、
前記決定手段は、
前記パワースペクトラム生成手段が生成した前記パワースペクトラムを用いて、等比間隔の刻み幅で電力値に対する度数分布を作成する度数分布作成手段と、
前記度数分布における最大度数の電力値を前記入力された信号における雑音電力と決定する検出手段と、を備えることを特徴とする雑音電力測定装置。
【００９５】
（付記４）
付記２または３に記載の雑音電力測定装置において、
前記度数分布生成手段は、１または複数の前記パワースペクトラムを用いて前記度数分布を作成することを特徴とする雑音電力測定装置。
【００９６】
（付記５）
付記２または３に記載の雑音電力測定装置において、
前記刻み幅は、変更可能であることを特徴とする雑音電力測定装置。
【００９７】
（付記６）
付記１から５のいずれか１つに記載の雑音電力測定装置において、
受信信号スペクトラム変換手段の前段に設けられ、前記入力された信号をアナログ／ディジタル変換するアナログ／ディジタル変換手段をさらに備えることを特徴とする雑音電力測定装置。
【００９８】
（付記７）
入力された信号の雑音電力を測定する雑音電力測定装置における雑音電力測定方法であって、
前記入力された信号から受信信号スペクトラムを生成する受信信号スペクトラム変換ステップと、
前記受信信号スペクトラム変換ステップが生成した前記受信信号スペクトラムからパワースペクトラムを生成するパワースペクトラム生成ステップと、
前記パワースペクトラム生成ステップが生成した前記パワースペクトラムを用いて、デシベル換算した電力値に対する度数分布を生成し、該生成した度数分布に基づいて、最大度数の電力値を前記入力された信号における雑音電力と決定する決定ステップと、を備えることを特徴とする雑音電力測定方法。
【００９９】
（付記８）
付記７に記載の雑音電力測定方法において、
前記決定ステップは、
前記パワースペクトラム生成ステップが生成した前記パワースペクトラムを、デシベル変換し、デシベル単位のパワースペクトラムを生成するデシベル変換ステップと、
前記デシベル変換ステップが生成したデシベル単位のパワースペクトラムを用いて、等差間隔の刻み幅で電力値に対する度数分布を生成する度数分布生成ステップと、
前記度数分布における最大度数の電力値を前記入力された信号における雑音電力と決定する検出ステップと、を備えることを特徴とする雑音電力測定方法。
【０１００】
（付記９）
付記７に記載の雑音電力測定方法において、
前記決定ステップは、
前記パワースペクトラム生成ステップが生成した前記パワースペクトラムを用いて、等比間隔の刻み幅で電力値に対する度数分布を作成する度数分布作成ステップと、
前記度数分布における最大度数の電力値を前記入力された信号における雑音電力と決定する検出ステップと、を備えることを特徴とする雑音電力測定方法。
【０１０１】
（付記１０）
付記８または９に記載の雑音電力測定方法において、
前記度数分布生成ステップは、１または複数の前記パワースペクトラムを用いて前記度数分布を作成することを特徴とする雑音電力測定方法。
【０１０２】
（付記１１）
付記８または９に記載の雑音電力測定方法において、
前記刻み幅は、変更可能であることを特徴とする雑音電力測定方法。
【０１０３】
（付記１２）
付記７から１１のいずれか１つに記載の雑音電力測定方法において、
受信信号スペクトラム変換ステップでは、前記入力された信号をアナログ／ディジタル変換した後、受信信号スペクトラムを生成することを特徴とする雑音電力測定方法。
【符号の説明】
【０１０４】
１    空中線
２    受信機
１０    雑音電力測定装置
１１    受信信号スペクトラム変換部
１２    パワースペクトラム生成部
１３    決定部
１４    デシベル変換部
１５    度数分布生成部
１６    最大度数検出部
２０    雑音電力測定装置
２１    決定部
２２    区間刻み幅算出部
２３    度数分布生成部
【図１】
2014090305.tif 000024
【図３】
2014090305.tif 000025
【図４】
2014090305.tif 000026
【図５】
2014090305.tif 000027
【図６】
2014090305.tif 000028
【図２】
2014090305.tif 000029